(57)【要約】【課題】伝送路に対する終端回路の接続が正常であることをユーザが施工時に確認することができる終端装置とインターホンシステムを提供する。【解決手段】終端装置１は、伝送信号が重畳された供給電圧を供給するインターホンシステム１０に使用されている。終端装置１は、一対の入力端１１１，１１２と、終端回路１２と、検査回路１３とを備える。終端回路１２は、一対の入力端１１１，１１２間と電気的に接続されている。検査回路１３は、一対の入力端１１１，１１２間において、終端回路１２と電気的に並列に接続されている。検査回路１３は、一対の入力端１１１，１１２間に供給電圧が入力され、供給電圧に対応する供給電流が流れた場合、動作することで終端回路１２の接続が正常であることを通知する通知部１５を有する。【選択図】図２
2018032998.tif 000002
【特許請求の範囲】
【請求項１】
制御装置と住戸親機との間で、信号線を有する伝送路を介して、伝送信号が重畳された供給電圧を供給するインターホンシステムに使用され、
一対の入力端と、終端回路と、検査回路とを備え、
前記一対の入力端は、前記伝送路と電気的に接続され、
前記終端回路は、前記一対の入力端間に電気的に接続され、インピーダンス素子を有し、
前記検査回路は、前記一対の入力端間において、前記終端回路と電気的に並列に接続され、
前記一対の入力端に供給電圧が印加され、前記供給電圧に対応する供給電流が流れた場合、動作することで前記伝送路に対する前記終端回路の接続が正常であることを通知する通知部を有する
ことを特徴とする終端装置。
【請求項２】
前記通知部は、音、光、及び信号の少なくとも１つを用いて、前記伝送路に対する前記終端回路の接続が正常であることを通知するように構成されている
ことを特徴とする請求項１に記載の終端装置。
【請求項３】
前記通知部は、前記信号を用いて通知し、
前記通知部は、前記一対の入力端と電気的に接続され、前記供給電流が流れる入力部と、前記住戸親機に電気的に接続されて、前記入力部に前記供給電流が流れると、前記住戸親機に前記信号を用いて通知する出力部とを備え、
前記入力部と前記出力部とは、互いに電気的に絶縁されている
ことを特徴とする請求項２に記載の終端装置。
【請求項４】
第１出力端と、第２出力端と、結線端と、分岐装置とをさらに備え、
前記分岐装置は、前記一対の入力端のそれぞれと分岐経路を介して電気的に接続される一対の分岐端を備え、
前記一対の分岐端は、前記住戸親機に電気的に接続され、
前記第１出力端は、前記一対の入力端の一方である第１入力端と前記終端回路の第１端との間の接続点に電気的に接続され、
前記第２出力端は、前記一対の入力端の他方である第２入力端と電気的に接続され、
前記結線端は、前記終端回路の第２端と電気的に接続され、
前記第１入力端は、前記結線端と前記第２出力端とが電気的に接続されると、前記終端回路、前記結線端、及び前記第２出力端を介して、前記第２入力端と電気的に接続される
ことを特徴とする請求項１〜３の何れか一項に記載の終端装置。
【請求項５】
切替部をさらに備え、
前記切替部は、第１状態と第２状態とを切り替えるように構成され、
前記第１状態は、前記結線端と前記第２出力端とが電気的に接続された場合、前記第１入力端が前記検査回路、前記結線端、及び前記第２出力端を介して前記第２入力端と電気的に接続される状態であり、
前記第２状態は、前記第１入力端が、前記検査回路を介して、前記第２入力端と電気的に接続される状態である
ことを特徴とする請求項４に記載の終端装置。
【請求項６】
スイッチ回路をさらに備え、
前記スイッチ回路は、前記一対の入力端間において、前記検査回路と電気的に直列に接続され、オン状態とオフ状態とが切り替わるように構成されている
ことを特徴とする請求項１〜５の何れか一項に記載の終端装置。
【請求項７】
前記スイッチ回路は、ユーザによって、前記オン状態と前記オフ状態とが切り替えられるように構成されている
ことを特徴とする請求項６に記載の終端装置。
【請求項８】
前記スイッチ回路は、閾値電圧よりも高い前記供給電圧が供給されると、前記オン状態になるように構成されている
ことを特徴とする請求項６に記載の終端装置。
【請求項９】
請求項１〜７の何れか一項に記載の終端装置と、前記住戸親機と、前記制御装置と、前記制御装置と電気的に接続され、前記制御装置を介して前記住戸親機と通信する共用装置とを備える
ことを特徴とするインターホンシステム。
【請求項１０】
前記制御装置は、前記伝送路に印加する前記供給電圧の極性を切り替える極性切替部を有し、
前記検査回路は、前記一対の入力端に印加される前記供給電圧が何れの極性であっても、前記供給電圧による前記供給電流が発生するように構成されている
ことを特徴とする請求項９に記載のインターホンシステム。
【発明の詳細な説明】
【技術分野】
【０００１】
本発明は、終端装置及びインターホンシステムに関する。より詳細には、伝送信号が重畳された供給電圧を供給するインターホンシステムに使用される終端装置、及び終端装置を備えるインターホンシステムに関する。
【背景技術】
【０００２】
従来例として、特許文献１に記載の集合住宅用インターホンシステムで使用される分岐器を例示する。特許文献１に記載の分岐器は、一組の入力端子に、それぞれ一組の出力端子と、一組の分岐端子とを結線する。分岐器は、更に一組の出力端子側に、付加出力端子が設けられ、付加出力端子を一組の出力端子の一方（第１出力端子）に結線して構成されている。
【０００３】
分岐器は、入力線のそれぞれが一組の入力端子に一対一に接続され、出力線のそれぞれが一組の出力端子に一対一に接続され、付加出力端子は開放されている。また、分岐線のそれぞれが一組の分岐端子に一対一に接続されている。
【０００４】
特許文献１に記載の分岐器は、分岐器の機能に加えて、終端器としても使用される。分岐器が終端器として使用されている状態では、入力線のそれぞれが一組の入力端子に一対一に接続され、一組の出力端子の他方（第２出力端子）及び付加出力端子がリード線によって短絡されている。
【先行技術文献】
【特許文献】
【０００５】
【特許文献１】特開２０１３−２３２７６３号公報
【発明の概要】
【発明が解決しようとする課題】
【０００６】
ところで、終端器として使用される特許文献１に記載の分岐器では、ユーザが分岐器と入力線とが正常に接続されていることを施工時に確認することが困難であった。また、終端器として使用される特許文献１に記載の分岐器では、終端回路が電気的に短絡している場合、ユーザが終端回路の短絡に施工時に気づくことが困難であった。すなわち、入力線に対する終端回路の接続が正常であるかどうかユーザが施工時に確認することが困難であった。また、従来の終端器でも、終端器として使用される特許文献１に記載の分岐器と同様に、入力線に対する終端回路の接続が正常であるかどうかを、ユーザが施工時に確認することが困難であった。
【０００７】
本発明は、上記事由に鑑みてなされており、伝送路に対する終端回路の接続が電気的に正常であることをユーザが施工時に確認することができる終端装置及び終端装置を使用するインターホンシステムを提供することを目的とする。
【課題を解決するための手段】
【０００８】
本発明の終端装置は、制御装置と住戸親機との間で、信号線を有する伝送路を介して、伝送信号が重畳された供給電圧を供給するインターホンシステムに使用され、一対の入力端と、終端回路と、検査回路とを備える。前記一対の入力端は、前記伝送路と電気的に接続される。前記終端回路は、前記一対の入力端間に電気的に接続され、インピーダンス素子を有する。前記検査回路は、前記一対の入力端間において、前記終端回路と電気的に並列に接続される。前記検査回路は、前記一対の入力端に供給電圧が印加され、前記供給電圧に対応する供給電流が流れた場合、動作することで前記伝送路に対する前記終端回路の接続が正常であることを通知する通知部を有する。
【０００９】
本発明のインターホンシステムは、上述の終端装置と、前記住戸親機と、前記制御装置と、前記制御装置と電気的に接続され、前記制御装置を介して前記住戸親機と通信する共用装置とを備える。
【発明の効果】
【００１０】
本発明の終端装置とインターホンシステムは、伝送路に対する終端回路の接続が電気的に正常であることをユーザが施工時に確認することができるという効果がある。
【図面の簡単な説明】
【００１１】
【図１】図１は本発明の実施形態１に係るインターホンシステムを示す構成図である。
【図２】図２は同上のインターホンシステムにおける終端装置を示す回路図である。
【図３】図３は本発明の実施形態１に係る変形例１の終端装置を示す回路図である。
【図４】図４は本発明の実施形態１に係る変形例２の終端装置を示す回路図である。
【図５】図５は本発明の実施形態１に係る変形例３の終端装置を示す回路図である。
【図６】図６は本発明の実施形態２に係る終端装置を示す回路図である。
【図７】図７は本発明の実施形態２に係る変形例１の終端装置を示す回路図である。
【発明を実施するための形態】
【００１２】
以下、本発明の実施形態に係る終端装置１及びインターホンシステム１０について、図面を参照して詳細に説明する。なお、以下の実施形態は、本発明の実施形態の一例に過ぎず、本発明の技術的思想を逸脱しない範囲で変更してもよい。
【００１３】
（実施形態１）
本実施形態のインターホンシステム１０は、図１に示すように、集合住宅などで使用されるインターホンシステムである。インターホンシステム１０は、制御装置３と、複数（図１では８つ）の住戸親機２と、複数（図１では８つ）の分岐器４と、終端装置１（図１では２つ）とを備える。
【００１４】
制御装置３は、集合住宅の共有スペースなどに設置されている。制御装置３は、信号線Ｌ１１，Ｌ１２を備える伝送路Ｌ１（図１では２つ）と、伝送路Ｌ１に電気的に接続されている複数の分岐器４とを介して、各住戸親機２に伝送信号が重畳された直流の供給電圧、例えば２７Ｖの電圧、を供給する。制御装置３は、信号線Ｌ１１，Ｌ１２の何れか一方が正極、他方が負極となるように、伝送路Ｌ１の両極間に直流の供給電圧を印加する。なお、本実施形態の伝送路Ｌ１は、例えば、ツイストペアケーブルである。
【００１５】
制御装置３は、さらに、共用装置３０、例えば、ロビーインターホン、と電気的に接続され、共用装置３０と信号の送受信を行う。制御装置３は、ＣＰＵ（Ｃｅｎｔｒａｌ  Ｐｒｏｃｅｓｓｉｎｇ  Ｕｎｉｔ）及びメモリなどを有するハードウェアと、メモリに予め記憶され、ＣＰＵに実行されるプログラムとで構成されている。制御装置３のメモリには、各住戸親機２に割り当てられているアドレスと住戸番号とが対応づけられたデータテーブルが記憶されている。例えば、共用装置３０から住戸番号が入力されると、制御装置３は、データテーブルを参照して、入力された住戸番号に対応するアドレスを含む伝送信号を、伝送路Ｌ１及び複数の分岐器４を介して、各住戸親機２に送信する。入力された住戸番号に対応するアドレスを有する住戸親機２ａは、伝送信号を受信する。入力された住戸番号に対応するアドレスを有する住戸親機２ａ以外の住戸親機２ｂ，２ｃ，２ｄ，２ｅ、２ｆ，２ｇ，及び２ｈのそれぞれは、伝送信号を破棄する。また、住戸親機２ａは、分岐器４、伝送路Ｌ１、及び制御装置３を介して、共用装置３０に信号を送信する。
【００１６】
複数の分岐器４のそれぞれは、伝送路Ｌ１と電気的に接続されている。複数の分岐器４のそれぞれは、一対一に住戸親機２と電気的に接続されている。つまり、複数の分岐器４は、制御装置３からの伝送信号が重畳された供給電圧を、接続されている住戸親機２に出力するように構成されている。また、複数の分岐器４のそれぞれは、対応する住戸親機２から送信された信号を制御装置３に中継するように構成されている。
【００１７】
終端装置１は、伝送路Ｌ１のそれぞれの終端に電気的に接続される。終端装置１は、図２に示すように、一対の入力端１１１，１１２と、終端回路１２と、検査回路１３と、スイッチ回路１４とを備える。以下、入力端１１１のみを示す場合、第１入力端１１１と称す。また、入力端１１２のみを示す場合、第２入力端１１２と称す。
【００１８】
第１入力端１１１は、信号線Ｌ１１と電気的に接続される。第２入力端１１２は、信号線Ｌ１２と電気的に接続される。
【００１９】
終端装置１は、伝送路Ｌ１の特性インピーダンスと同じインピーダンス値を有するインピーダンス素子を有する。なお、特性インピーダンスと同じインピーダンス値とは、当該特性インピーダンスと一致する値だけに限定されない。特性インピーダンスと同じインピーダンス値とは、終端装置１がインピーダンスの整合機能を実現できる値であれば、インピーダンス素子の値が当該特性インピーダンスよりも大きい値又は小さい値であってもよい。終端回路１２は、インピーダンス素子として、コンデンサＣ１と終端抵抗Ｒ１とで構成される直列回路を備える。終端回路１２では、コンデンサＣ１の第１端が第１入力端１１１と電気的に接続されている。コンデンサＣ１の第２端は、終端抵抗Ｒ１の第１端と電気的に接続されている。終端抵抗Ｒ１の第２端は、第２入力端１１２と電気的に接続されている。つまり、コンデンサＣ１と終端抵抗Ｒ１とで構成される直列回路は、一対の入力端１１１，１１２間に、電気的に接続されている。
【００２０】
スイッチ回路１４は、１極単投形のスイッチである。スイッチ回路１４の可動端１４１は、第１入力端１１１と電気的に接続されている。スイッチ回路１４の固定端１４２は、検査回路１３と電気的に接続されている。なお、スイッチ回路１４は、固定端１４２と可動端１４１とが反対の向きに配置されて接続されてもよい。
【００２１】
検査回路１３は、一対の入力端１１１，１１２と信号線Ｌ１１，Ｌ１２とが正常に電気的に接続しているかどうか、及び終端回路１２が短絡しているかどうか検査するように構成されている。検査回路１３は、制限抵抗Ｒ２と、通知部１５とを備える。なお、一対の入力端１１１，１１２と信号線Ｌ１１，Ｌ１２とが正常に電気的に接続し、かつ終端回路１２が短絡していない状態を終端回路１２の接続が正常な状態であるとする。
【００２２】
通知部１５は、検査結果を外部に通知するように構成されている。通知部１５は、第１発光素子Ｄ１と、第２発光素子Ｄ２とを有する。第１発光素子Ｄ１及び第２発光素子Ｄ２のそれぞれは、ＬＥＤ（Ｌｉｇｈｔ  Ｅｍｉｔｔｉｎｇ  Ｄｉｏｄｅ）である。制限抵抗Ｒ２の第１端は、スイッチ回路１４の固定端１４２と電気的に接続されている。第１発光素子Ｄ１のアノードは、第２発光素子Ｄ２のカソードと電気的に接続されている。また、第１発光素子Ｄ１のカソードは、第２発光素子Ｄ２のアノードと電気的に接続されている。制限抵抗Ｒ２の第２端は、第１発光素子Ｄ１のアノードと第２発光素子Ｄ２のカソードとの間の接続点に電気的に接続されている。第１発光素子Ｄ１のカソードと第２発光素子Ｄ２のアノードとの間の接続点は、第２入力端１１２と電気的に接続されている。つまり、検査回路１３は、スイッチ回路１４と電気的に直列に接続されている。また、スイッチ回路１４と検査回路１３とで構成される直列回路は、一対の入力端１１１，１１２に対して、終端回路１２と電気的に並列に接続されている。
【００２３】
例えば、一対の入力端１１１，１１２が信号線Ｌ１１，Ｌ１２と正常に電気的に接続されており、かつ終端回路１２が短絡していないとする。この場合、施工者によって、スイッチ回路１４がオン状態に設定されると、信号線Ｌ１１，Ｌ１２から通知部１５に供給電流が流れることで第１発光素子Ｄ１及び第２発光素子Ｄ２の何れかが発光する。より詳細には、信号線Ｌ１１が正極、信号線Ｌ１２が負極であって、施工者によって、スイッチ回路１４がオン状態に設定されると、信号線Ｌ１１から第１発光素子Ｄ１に供給電流が流れて、第１発光素子Ｄ１が発光する。また、信号線Ｌ１１が負極、信号線Ｌ１２が正極であって、スイッチ回路１４がオン状態に設定されると、信号線Ｌ１２から第２発光素子Ｄ２に供給電流が流れて、第２発光素子Ｄ２が発光する。
【００２４】
施工者がスイッチ回路１４をオン状態に設定しているにもかかわらず、第１発光素子Ｄ１及び第２発光素子Ｄ２の何れもが発光しない場合がある。この場合、終端装置１は、一対の入力端１１１，１１２が信号線Ｌ１１，Ｌ１２と正常に電気的に接続されていない状態、及び終端回路１２が短絡している状態の少なくとも何れか一方である。
【００２５】
本実施形態の終端装置１が上述のように構成されているので、一対の入力端１１１，１１２が伝送路Ｌ１と正常に電気的に接続されている状態、かつ終端回路１２が短絡していない状態であれば、終端装置１は、通知部１５を用いて外部に通知することができる。つまり、本実施形態の終端装置１は、伝送路Ｌ１と電気的に接続されていること、かつ、終端回路１２が短絡していないことをユーザ（施工者）が施工時に確認することができる。したがって、本実施形態の終端装置１は、伝送路Ｌ１に対する終端回路１２の接続が電気的に正常であることをユーザが施工時に確認することができる。
【００２６】
また、本実施形態のインターホンシステム１０は、終端装置１を備えているので、終端装置１の一対の入力端１１１，１１２が伝送路Ｌ１と正常に電気的に接続されている状態、及び終端回路１２が短絡していない状態を外部に通知することができる。つまり、本実施形態のインターホンシステム１０は、一対の入力端１１１，１１２が伝送路Ｌ１と電気的に接続されていること、かつ、終端回路１２が短絡していないことをユーザが施工時に確認することができる。したがって、本実施形態のインターホンシステム１０は、伝送路Ｌ１に対する終端回路１２の接続が電気的に正常であることをユーザが施工時に確認することができる。
【００２７】
なお、本実施形態の検査回路１３は、第１発光素子Ｄ１及び第２発光素子Ｄ２を有して、無極性の検査回路１３として説明されている。検査回路１３は、第１発光素子Ｄ１及び第２発光素子Ｄ２の何れか一方のみを有して、極性を有する回路構成であってもよい。
【００２８】
実施形態１の変形例１について、図３を参照して説明する。実施形態１の変形例１の終端装置１は、第１発光素子Ｄ１及び第２発光素子Ｄ２の代わりにブザーＢＺ１が使用されている点が上述の実施形態と異なる。なお、上述の実施形態と重複する構成については、同じ符号を付し、詳しい説明は省略する。
【００２９】
検査回路１３Ａは、図３に示すように、ダイオードブリッジＤＢ１とブザーＢＺ１で構成される通知部１５Ａを備える。ダイオードブリッジＤＢ１は、４つのダイオードを用いた全波整流器である。ダイオードブリッジＤＢ１は、一対の入力端１１１，１１２間に電気的に接続される。より詳細には、ダイオードブリッジＤＢ１の入力の第１端は、スイッチ回路１４の固定端１４２と電気的に接続されている。ダイオードブリッジＤＢ１の入力の第２端は、第２入力端１１２と電気的に接続されている。ダイオードブリッジＤＢ１の出力は、ブザーＢＺ１と電気的に接続されている。
【００３０】
例えば、一対の入力端１１１，１１２が信号線Ｌ１１，Ｌ１２と正常に電気的に接続されており、かつ終端回路１２が短絡していないとする。この場合、施工者によって、スイッチ回路１４がオン状態に設定されると、ブザーＢＺ１は、信号線Ｌ１１，Ｌ１２からブザーＢＺ１に供給電流が流れることでブザー音を出力する。
【００３１】
施工者がスイッチ回路１４をオン状態に設定しているにもかかわらず、ブザーＢＺ１がブザー音を出力しない場合がある。この場合、終端装置１は、一対の入力端１１１，１１２が信号線Ｌ１１，Ｌ１２と正常に電気的に接続されていない状態、及び終端回路１２が短絡している状態の少なくとも何れか一方である。
【００３２】
実施形態１の変形例１の終端装置１は、一対の入力端１１１，１１２が伝送路Ｌ１と正常に電気的に接続されている状態、かつ終端回路１２が短絡していない状態であれば、終端装置１は、ブザーＢＺ１を用いて外部に通知することができる。つまり、実施形態１の変形例１の終端装置１は、一対の入力端１１１，１１２が伝送路Ｌ１と電気的に接続されていること、かつ、終端回路１２が短絡していないことをユーザが施工時に確認することができる。したがって、実施形態１の変形例１の終端装置１は、伝送路Ｌ１に対する終端回路１２の接続が電気的に正常であることをユーザが施工時に確認することができる。
【００３３】
なお、実施形態１の変形例１の検査回路１３Ａは、全波整流器であるダイオードブリッジＤＢ１を有して、無極性の検査回路１３Ａとして説明されている。検査回路１３Ａは、極性を有する回路構成、例えば、半波整流器を有してもよい。
【００３４】
実施形態１の変形例２について、図４を参照して説明する。実施形態１の変形例２の終端装置１は、上述の光を用いて出力する代わりに住戸親機２ｉに信号を出力するように構成されている点が異なる。なお、上述の実施形態と重複する構成については、同じ符号を付し、詳しい説明は省略する。
【００３５】
検査回路１３Ｂは、図４に示すように、４つのダイオードで構成される全波整流器であるダイオードブリッジＤＢ１と、フォトカプラＩＣ１とで構成される通知部１５Ｂを備える。フォトカプラＩＣ１は、発光ダイオードＤ３（入力部）と、フォトトランジスタＴＲ１（出力部）とで構成されている。フォトカプラＩＣ１は、発光ダイオードＤ３とフォトトランジスタＴＲ１との間を電気的に絶縁している。
【００３６】
ダイオードブリッジＤＢ１は、一対の入力端１１１，１１２間に電気的に接続されている。より詳細には、ダイオードブリッジＤＢ１の入力の第１端は、スイッチ回路１４の固定端１４２と電気的に接続されている。ダイオードブリッジＤＢ１の入力の第２端は、第２入力端１１２と電気的に接続されている。
【００３７】
ダイオードブリッジのＤＢ１の出力は、検査回路１３Ｂの入力と電気的に接続されている。より詳細には、ダイオードブリッジＤＢ１の出力の第１端は、フォトカプラＩＣ１の発光ダイオードＤ３のアノードと電気的に接続されている。ダイオードブリッジＤＢ１の出力の第２端は、フォトカプラＩＣ１の発光ダイオードＤ３のカソードと電気的に接続されている。フォトカプラＩＣ１のフォトトランジスタＴＲ１のエミッタは、例えば、住戸親機２ｉが備える抵抗Ｒ３を介してグランドと電気的に接続されている。また、フォトカプラＩＣ１のフォトトランジスタＴＲ１のコレクタは、住戸親機２ｉの入力ポートと電気的に接続されている。なお、当該住戸親機２ｉは、伝送路Ｌ１の終端に最も近い分岐器４に、電気的に接続されている住戸親機２であることが好ましい。
【００３８】
例えば、一対の入力端１１１，１１２が信号線Ｌ１１，Ｌ１２と電気的に接続されており、かつ終端回路１２が短絡していない状態であるとする。この場合、施工者によって、スイッチ回路１４がオン状態に設定されると、信号線Ｌ１１，Ｌ１２からフォトカプラＩＣ１の発光ダイオードＤ３に供給電流が流れ、発光ダイオードＤ３が発光する。フォトカプラＩＣ１の発光ダイオードＤ３が発光することで、フォトカプラＩＣ１のフォトトランジスタＴＲ１がオン状態となり、通知信号が住戸親機２ｉに入力される。通知信号が入力された住戸親機２ｉは、制御装置３及び他の住戸親機２に、一対の入力端１１１，１１２が信号線Ｌ１１，Ｌ１２と正常に電気的に接続され、かつ終端回路１２が短絡していないことを示す信号を分岐器４及び伝送路Ｌ１を介して送信する。
【００３９】
施工者がスイッチ回路１４をオン状態に設定しているにもかかわらず、住戸親機２ｉに通知信号が出力されない場合がある。この場合、終端装置１は、一対の入力端１１１，１１２が信号線Ｌ１１，Ｌ１２と正常に電気的に接続されていない状態、及び終端回路１２が短絡している状態の少なくとも何れか一方である。
【００４０】
実施形態１の変形例２の終端装置１が上述のように構成されているので、一対の入力端１１１，１１２が伝送路Ｌ１と正常に電気的に接続されている状態、かつ終端回路１２が短絡していない状態であれば、フォトカプラＩＣ１を用いて外部に通知することができる。つまり、実施形態１の変形例２の終端装置１は、一対の入力端１１１，１１２が伝送路Ｌ１と電気的に接続されていること、かつ、終端回路１２が短絡していないことをユーザが施工時に確認することができる。したがって、実施形態１の変形例２の終端装置１は、伝送路Ｌ１に対する終端回路１２の接続が電気的に正常であることをユーザが施工時に確認することができる。
【００４１】
なお、実施形態１の変形例２の通知部１５Ｂは、フォトカプラＩＣ１に限定されず、入力部と出力部が電気的に絶縁している回路であればよい。また、実施形態１の変形例２の検査回路１３Ｂは、全波整流器であるダイオードブリッジＤＢ１を有して、無極性の検査回路１３Ｂとして説明されている。検査回路１３Ｂは、極性を有する回路構成、例えば、半波整流器を有してもよい。
【００４２】
実施形態１の変形例３について、図５を参照して説明する。実施形態１の変形例３の終端装置１は、スイッチ回路１４Ａが１極単投形のスイッチの代わりにダイオードブリッジＢＤ１とツェナダイオードＺＤ１とで構成されている点が上述の実施形態と異なる。なお、上述の実施形態と重複する構成については、同じ符号を付し、詳しい説明は省略する。
【００４３】
スイッチ回路１４Ａは、図５に示すように、４つのダイオードで構成されている全波整流器であるダイオードブリッジＤＢ１と、ツェナダイオードＺＤ１とを備える。ダイオードブリッジＤＢ１の入力は、一対の入力端１１１，１１２間に電気的に接続されている。ダイオードブリッジＤＢ１の出力の第１端は、ツェナダイオードＺＤ１のカソードと電気的に接続されている。ツェナダイオードＺＤ１のアノードは、検査回路１３Ｃと電気的に接続されている。
【００４４】
検査回路１３Ｃは、制限抵抗Ｒ２と、通知部１５Ｃとを備える。通知部１５Ｃは、第１発光素子Ｄ１で構成されている。ツェナダイオードＺＤ１のアノードは、検査回路１３Ｃの制限抵抗Ｒ２の第１端と電気的に接続されている。ダイオードブリッジＤＢ１の出力の第２端は、第１発光ダイオードＤ１のカソードと電気的に接続されている。以下の説明では、ツェナダイオードＺＤ１の、閾値電圧（降伏電圧）を３０Ｖとして説明する。つまり、ツェナダイオードＺＤ１に３０Ｖ以上の供給電圧が印加されると、通知部１５Ｃに供給電流が流れる。
【００４５】
制御装置３は、インターホンシステム１０が通常の運転をしている場合、２７Ｖの直流の供給電圧を伝送路Ｌ１に印加する。そして、一対の入力端１１１，１１２が信号線Ｌ１１，Ｌ１２と正常に電気的に接続しているかどうか、及び終端回路１２が短絡しているかどうか検査される場合、制御装置３は、ユーザによって、直流の供給電圧を２７Ｖから５０Ｖに切り替えられる。
【００４６】
例えば、一対の入力端１１１，１１２が信号線Ｌ１１，Ｌ１２と電気的に接続されており、かつ終端回路１２が短絡していない状態であるとする。この場合、制御装置３が５０Ｖの供給電圧を伝送路Ｌ１に印加すると、信号線Ｌ１１，Ｌ１２からスイッチ回路１４Ａ及び検査回路１３Ｃに供給電流が流れて第１発光素子Ｄ１が発光する。
【００４７】
制御装置３から５０Ｖの供給電圧を印加しているにも関わらず、第１発光素子Ｄ１が発光しない場合がある。この場合、終端装置１は、一対の入力端１１１，１１２が信号線Ｌ１１，Ｌ１２と正常に電気的に接続されていない状態、及び終端回路１２が短絡している状態の少なくとも何れか一方である。
【００４８】
実施形態１の変形例３の終端装置１は、一対の入力端１１１，１１２が伝送路Ｌ１と正常に電気的に接続されている状態、かつ終端回路１２が短絡していない状態であれば、第１発光素子Ｄ１を用いて外部に通知することができる。つまり、実施形態１の変形例３の終端装置１は、一対の入力端１１１，１１２が伝送路Ｌ１と電気的に接続されていること、かつ、終端回路１２が短絡していないことをユーザが施工時に確認することができる。したがって、実施形態１の変形例３の終端装置１は、伝送路Ｌ１に対する終端回路１２の接続が電気的に正常であることをユーザが施工時に確認することができる。
【００４９】
なお、実施形態１の変形例３の終端装置１は、第１発光素子Ｄ１の代わりにブザー、又はフォトカプラなどを用いてもよい。また、実施形態１の変形例３のスイッチ回路１４Ａは、全波整流器であるダイオードブリッジＤＢ１を有して、無極性のスイッチ回路１４Ａとして説明されている。スイッチ回路１４Ａは、極性を有する回路構成、例えば、半波整流器を有してもよい。また、制御装置３は、検査時に自動的に２７Ｖから５０Ｖの供給電圧に切り替えるように予め設定されていてもよい。
【００５０】
実施形態１の変形例４について、図１及び図２を参照して説明する。実施形態１の変形例４の終端装置１は、制御装置３が、極性切替部３１を備えている点が上述の実施形態と異なる。なお、上述の実施形態と重複する構成については、同じ符号を付し、詳しい説明は省略する。
【００５１】
制御装置３は、極性切替部３１を備える。極性切替部３１は、例えば、ユーザによって、２７Ｖの直流の供給電圧の極性が交互に切り替えられる。そして、制御装置３は、直流の供給電圧を伝送路Ｌ１に印加する。
【００５２】
制御装置３は、まず、信号線Ｌ１１が正極、信号線Ｌ１２が負極となるように直流の供給電圧を伝送路Ｌ１に印加する。このとき、一対の入力端１１１，１１２と信号線Ｌ１１，Ｌ１２とが正常に電気的に接続されており、終端回路１２が短絡しておらず、かつ信号線Ｌ１１，Ｌ１２に地絡が発生していないとする。この場合、施工者によって、スイッチ回路１４がオン状態に設定されると、信号線Ｌ１１，Ｌ１２から第１発光素子Ｄ１に供給電流が流れて、第１発光素子Ｄ１が発光する。次に、制御装置３は、信号線Ｌ１１が負極、信号線Ｌ１２が正極となるように直流の供給電圧を伝送路Ｌ１に印加する。このとき、一対の入力端１１１，１１２と信号線Ｌ１１，Ｌ１２とが正常に電気的に接続されており、終端回路１２が短絡しておらず、かつ信号線Ｌ１１，Ｌ１２に地絡が発生していない場合、施工者によって、スイッチ回路１４がオン状態に設定されるとする。この場合、信号線Ｌ１１，Ｌ１２から第２発光素子Ｄ２に供給電流が流れて、第２発光素子Ｄ２が発光する。
【００５３】
ところで、信号線Ｌ１１に地絡が発生している場合について説明する。制御装置３が信号線Ｌ１１が負極、信号線Ｌ１２が正極となるように直流の供給電圧を伝送路Ｌ１に印加した場合、第２発光素子Ｄ２に供給電流が流れるので、第２発光素子Ｄ２は発光する。この場合、第１発光素子Ｄ１は、供給電流が流れないので発光しない。制御装置３が信号線Ｌ１１が正極、信号線Ｌ１２が負極となるように直流の供給電圧を伝送路Ｌ１に印加した場合、第１発光素子Ｄ１には信号線Ｌ１１の地絡によって供給電流が流れないので、第１発光素子Ｄ１は発光しない。この場合、第２発光素子Ｄ２は、供給電流が流れないので発光しない。
【００５４】
また、信号線Ｌ１２に地絡が発生している場合について説明する。制御装置３が信号線Ｌ１１が正極、信号線Ｌ１２が負極となるように直流の供給電圧を伝送路Ｌ１に印加した場合、第１発光素子Ｄ１に供給電流が流れるので、第１発光素子Ｄ１は発光する。第２発光素子Ｄ２は、供給電流が流れないので発光しない。制御装置３が信号線Ｌ１１が負極、信号線Ｌ１２が正極となるように直流の供給電圧を伝送路Ｌ１に印加した場合、第２発光素子Ｄ２には信号線Ｌ１２の地絡によって供給電流が流れないので、第２発光素子Ｄ２は発光しない。この場合、第１発光素子Ｄ１は、供給電力が流れないので発光しない。
【００５５】
一対の入力端１１１，１１２と信号線Ｌ１１，Ｌ１２とが正常に電気的に接続されており、終端回路１２が短絡しておらず、かつ信号線Ｌ１１，Ｌ１２に地絡が発生していない場合に、供給電圧の極性に応じて、第１発光素子Ｄ１又は第２発光素子Ｄ２が発光する。
【００５６】
このように、極性切替部３１が供給電圧の極性を切り替えることで、ユーザは信号線Ｌ１１，Ｌ１２の地絡の発生を確認することができる。
【００５７】
実施形態１の変形例４の終端装置１は上述のように構成されているので、さらに、信号線Ｌ１１及び信号線Ｌ１２の何れもが地絡していないことをユーザが施工時に確認することができる。
【００５８】
また、実施形態１の変形例４のインターホンシステム１０は、終端装置１を備えているので、さらに、信号線Ｌ１１及び信号線Ｌ１２の何れもが地絡していないことをユーザが施工時に確認することができる。
【００５９】
なお、実施形態１の変形例４の終端装置１は、第１発光素子Ｄ１及び第２発光素子Ｄ２を用いて出力するように構成されているが、ブザー、又はフォトカプラなどを用いて外部に通知するように構成されていてもよい。
【００６０】
（実施形態２）
本実施形態の終端装置１Ａについて、図６を参照して説明する。終端装置１Ａは、分岐器４の機能を備え（図１参照）、終端装置としてだけではなく、分岐器として使用することができるように構成されている。なお、実施形態１と重複する構成については、同じ符号を付し、詳しい説明は省略する。
【００６１】
終端装置１Ａは、図６に示すように、第１出力端１６１と、第２出力端１６２と、結線端１７と、分岐装置５とをさらに備える。第１出力端１６１は、第１入力端１１１と電気的に接続されている。第２出力端１６２は、第２入力端１１２と電気的に接続されている。
【００６２】
終端回路１２は、第１出力端１６１と結線端１７との間に電気的に接続されている。
【００６３】
スイッチ回路１４と検査回路１３とで構成されている直列回路は、終端回路１２と電気的に並列に接続されている。
【００６４】
分岐装置５は、分岐経路５０と、分岐回路５１と、一対の分岐端５２１，５２２とを備える。分岐経路５０は、第１経路５０１と、第２経路５０２とを備える。分岐回路５１は、例えば、コンデンサ及び抵抗などの素子を有し、伝送信号のノイズなどを除去するための回路である。分岐回路５１は、第１入力端１１１及び第２入力端１１２のそれぞれと電気的に接続されている。分岐回路５１は、一対の分岐端５２１，５２２のそれぞれと電気的に接続されている。一対の分岐端５２１，５２２は、住戸親機２と電気的に接続される。分岐経路５０は、分岐回路５１を介して、一対の分岐端５２１，５２２と一対の入力端１１１，１１２とを電気的に接続する電気経路である。より詳細には、分岐端５２１は、第１経路５０１を介して第１入力端１１１と電気的に接続される。また、分岐端５２２は、第２経路５０２を介して第２入力端１１２と電気的に接続される。分岐装置５は、制御装置３から伝送路Ｌ１を介して、伝送信号が重畳された供給電圧を受け取り、住戸親機２に伝送信号が重畳された供給電圧を中継する。また、分岐装置５は、住戸親機２から信号を受け取り、伝送路Ｌ１を介して制御装置３に中継するように構成されている。
【００６５】
ところで、本実施形態の終端装置１Ａを分岐器として使用する場合、一対の入力端１１１，１１２は、一対の信号線Ｌ１１，Ｌ１２と一対一に電気的に接続される。また、一対の分岐端５２１，５２２は、住戸親機２と電気的に接続される。さらに、第１出力端１６１は、別の終端装置１Ａの第１入力端１１１と電気的に接続される。また、第２出力端１６２は、別の終端装置１Ａの第２入力端１１２と電気的に接続される。
【００６６】
また、本実施形態の終端装置１Ａを終端装置として使用する場合、一対の入力端１１１，１１２は、信号線Ｌ１１，Ｌ１２と一対一に電気的に接続される。結線端１７は、第２出力端１６２とリード線などによって電気的に短絡される。
【００６７】
このように、結線端１７と第２出力端１６２とが電気的に短絡していることで、第１入力端１１１は、終端回路１２、結線端１７、及び第２出力端１６２を介して第２入力端１１２に電気的に接続される。検査回路１３は、結線端１７及び第２出力端１６２を介して第２入力端１１２と電気的に接続される。つまり、終端回路１２及び検査回路１３は、一対の入力端１１１，１１２に対して、並列に電気的に接続されている。
【００６８】
例えば、一対の入力端１１１，１１２が信号線Ｌ１１，Ｌ１２と正常に電気的に接続されており、かつ終端回路１２が短絡していないとする。この場合、施工者によって、スイッチ回路１４がオン状態に設定されると、信号線Ｌ１１，Ｌ１２から通知部１５に供給電流が流れることで第１発光素子Ｄ１又は第２発光素子Ｄ２の何れかが発光する。このように、検査回路１３は、一対の入力端１１１，１１２が伝送路Ｌ１と電気的に接続されていること、かつ終端回路１２が短絡していないことを第１発光素子Ｄ１及び第２発光素子Ｄ２を用いて外部に通知することができる。
【００６９】
本実施形態の終端装置１Ａが上述のように構成されているので、一対の入力端１１１，１１２が伝送路Ｌ１と正常に電気的に接続されている状態、かつ終端回路１２が短絡していない状態であれば、終端装置１Ａは、通知部１５を用いて外部に通知することができる。つまり、本実施形態の終端装置１Ａは、一対の入力端１１１，１１２が伝送路Ｌ１と電気的に接続されていること、かつ、終端回路１２が短絡していないことをユーザが施工時に確認することができる。したがって、本実施形態の終端装置１Ａは、伝送路Ｌ１に対する終端回路１２の接続が電気的に正常であることをユーザが施工時に確認することができる。
【００７０】
なお、本実施形態の終端装置１Ａは、第１発光素子Ｄ１及び第２発光素子Ｄ２を用いて出力するように構成されているが、ブザー、又はフォトカプラなどを用いて出力するように構成されていてもよい。また、スイッチ回路１４は、１極単投形のスイッチに限定されず、実施形態１の変形例３のように、ダイオードブリッジとツェナダイオードとで構成されていてもよい。さらに、検査回路１３は、第１発光素子Ｄ１及び第２発光素子Ｄ２を有して、無極性の検査回路１３として説明されている。検査回路１３は、第１発光素子Ｄ１及び第２発光素子Ｄ２の何れか一方のみを有して、極性を有する回路構成であってもよい。
【００７１】
実施形態２の変形例１について、図７を参照して説明する。実施形態２の変形例１は、終端装置１Ａが切替部１８を備えている点、及びスイッチ回路１４を備えていない点が、上述の実施形態と異なる。
【００７２】
切替部１８は、第１状態と第２状態とを切り替える１極双投形のスイッチである。切替部１８は、第１固定接点１８ａと、第２固定接点１８ｂと、可動接点１８ｃとを有する。切替部１８の第１固定接点１８ａは、終端回路１２の終端抵抗Ｒ１の第２端と結線端１７との間の接続点と電気的に接続されている。切替部１８の第２固定接点１８ｂは、第２入力端１１２と電気的に接続されている。切替部１８の可動接点１８ｃは、第１発光素子Ｄ１のカソードと第２発光素子Ｄ２のアノードとの間の接続点と電気的に接続されている。第１状態とは、切替部１８の第１固定接点１８ａと可動接点１８ｃとが電気的に接続されている状態である。また、第２状態とは、切替部１８の第２固定接点１８ｂと可動接点１８ｃとが電気的に接続されている状態である。
【００７３】
検査回路１３の制限抵抗Ｒ２の第１端は第１入力端１１１に電気的と接続されている。
【００７４】
ここで、終端装置１Ａが終端装置として使用される場合について説明する。この場合、第２出力端１６２は、結線端１７とリード線などを介して電気的に短絡される。切替部１８が第１状態に切り替えられると、第１入力端１１１は、検査回路１３、結線端１７、及び第２出力端１６２を介して、第２入力端１１２と電気的に接続される。つまり、検査回路１３は、一対の入力端１１１，１１２に対して、終端回路１２と電気的に並列に接続される。このように、検査回路１３は、一対の入力端１１１，１１２が伝送路Ｌ１と正常に電気的に接続されているかどうか、及び終端回路１２が短絡しているかどうか検査することができる。
【００７５】
終端装置１Ａが分岐器として使用される場合について説明する。切替部１８が第２状態に切り替えられると、第１入力端１１１は、検査回路１３を介して第２入力端１１２に電気的に接続される。つまり、検査回路１３は、別の終端装置１Ａを伝送路Ｌ１の終端に接続させることなく、信号線Ｌ１１，Ｌ１２が断線しているかどうか、検査することができる。通知部１５は、信号線Ｌ１１，Ｌ１２が断線していなければ、供給電流が流れて、外部に通知することができる。
【００７６】
実施形態２の変形例１の終端装置１Ａは、終端装置として使用される場合、一対の入力端１１１，１１２が伝送路Ｌ１と正常に電気的に接続されている状態、かつ終端回路１２が短絡していない状態であれば、通知部１５を用いて外部に通知することができる。つまり、実施形態２の変形例１の終端装置１Ａは、一対の入力端１１１，１１２が伝送路Ｌ１と電気的に接続されていること、かつ、終端回路１２が短絡していないことをユーザが施工時に確認することができる。したがって、実施形態２の変形例１の終端装置１Ａは、伝送路Ｌ１に対する終端回路１２の接続が電気的に正常であることをユーザが施工時に確認することができる。
【００７７】
さらに、実施形態２の変形例１の終端装置１Ａは、上述のように構成されるので、分岐器として使用される場合、信号線Ｌ１１，Ｌ１２が断線していないことを通知部１５を用いて外部に通知することができる。したがって、本実施形態の終端装置１Ａは、信号線Ｌ１１，Ｌ１２が断線していないことをユーザが施工時に確認することができる。
【００７８】
また、終端装置１Ａが終端装置として使用される場合、一対の入力端１１１，１１２が伝送路Ｌ１と正常に電気的に接続されている状態、かつ終端回路１２が短絡していない状態であるとする。この場合、インターホンシステム１０は、通知部１５を用いて外部に通知することができる。つまり、実施形態２の変形例１のインターホンシステム１０では、一対の入力端１１１，１１２が伝送路Ｌ１と電気的に接続されていること、かつ、終端回路１２が短絡していないことをユーザが施工時に確認することができる。したがって、実施形態２の変形例１のインターホンシステム１０では、伝送路Ｌ１に対する終端回路１２の接続が電気的に正常であることをユーザが施工時に確認することができる。
【００７９】
さらに、実施形態２の変形例１のインターホンシステム１０は、終端装置１Ａが分岐器として使用される場合、信号線Ｌ１１，Ｌ１２が断線していなければ、通知部１５を用いて、外部に通知することができる。したがって、本実施形態のインターホンシステム１０は、信号線Ｌ１１，Ｌ１２が断線していないことをユーザが施工時に確認することができる。
【００８０】
なお、終端装置１Ａは通知部１５を用いて出力するように構成されているが、ブザー、又はフォトカプラなどを用いて出力するように構成されていてもよい。また、切替部１８は、１極双投形のスイッチに限定されず、同じ機能を有する回路で構成されていてもよい。さらに、検査回路１３は、第１発光素子Ｄ１及び第２発光素子Ｄ２を有して、無極性の検査回路１３として説明されている。検査回路１３は、第１発光素子Ｄ１及び第２発光素子Ｄ２の何れか一方のみを有して、極性を有する回路構成であってもよい。
【００８１】
本発明に係る第１の態様の終端装置（１，１Ａ）は、制御装置（３）と住戸親機（２）との間で、信号線（Ｌ１１，Ｌ１２）を有する伝送路（Ｌ１）を介して、伝送信号が重畳された供給電圧を供給するインターホンシステム１０に使用されている。終端装置（１，１Ａ）は、一対の入力端（１１１，１１２）と、終端回路（１２）と、検査回路（１３，１３Ａ，１３Ｂ，１３Ｃ）とを備える。一対の入力端（１１１，１１２）は、伝送路（Ｌ１）と電気的に接続されている。終端回路（１２）は、一対の入力端（１１１，１１２）間に電気的に接続され、インピーダンス素子（Ｃ１，Ｒ１）を有している。検査回路（１３，１３Ａ，１３Ｂ，１３Ｃ）は、一対の入力端（１１１，１１２）間において、終端回路（１２）と電気的に並列に接続されている。検査回路（１３，１３Ａ，１３Ｂ，１３Ｃ）は、一対の入力端（１１１，１１２）に供給電圧が印加され、供給電圧に対応する供給電流が流れた場合、動作する。検査回路（１３，１３Ａ，１３Ｂ，１３Ｃ）は、動作することで伝送路（Ｌ１）に対する終端回路（１２）の接続が正常であることを通知する通知部（１５，１５Ａ，１５Ｂ，１５Ｃ）を有する。
【００８２】
第１の態様によれば、終端装置（１，１Ａ）は、伝送路（Ｌ１）に対する終端回路（１２）の接続が電気的に正常であることをユーザが施工時に確認することができる。
【００８３】
本発明に係る第２の態様の終端装置（１，１Ａ）では、第１の態様において、通知部（１５，１５Ａ，１５Ｂ，１５Ｃ）は、音、光、及び信号の少なくとも１つを用いることが好ましい。そして、通知部（１５，１５Ａ，１５Ｂ，１５Ｃ）は、伝送路（Ｌ１）に対する終端回路（１２）の接続が正常であることを通知するように構成されていることが好ましい。
【００８４】
第２の態様によれば、終端装置（１，１Ａ）は、伝送路（Ｌ１）に対する終端回路（１２）の接続が電気的に正常であることをユーザが施工時により容易に確認することができる。
【００８５】
本発明に係る第３の態様の終端装置（１，１Ａ）では、第２の態様において、通知部（１５Ｂ）は、信号を用いて通知することが好ましい。通知部（１５Ｂ）は、一対の入力端（１１１，１１２）と電気的に接続され、供給電流が流れる入力部（発光ダイオードＤ３）を備えることが好ましい。通知部（１５Ｂ）は、住戸親機（２）に電気的に接続されて、入力部に供給電流が流れると、住戸親機（２）に信号を用いて通知する出力部（フォトトランジスタＴＲ１）をさらに備えることが好ましい。入力部と出力部とは、互いに電気的に絶縁されていることが好ましい。
【００８６】
第３の態様によれば、伝送路（Ｌ１）に対する終端回路（１２）の接続が電気的に正常であることを、ユーザが住戸親機（２）及び制御装置（３）を使用して確認することができる。
【００８７】
本発明に係る第４の態様の終端装置（１Ａ）は、第１〜第３の態様の何れかの１つの態様において、第１出力端（１６１）と、第２出力端（１６２）と、結線端（１７）と、分岐装置（５）とをさらに備えることが好ましい。分岐装置５は、一対の入力端（１１１，１１２）のそれぞれと分岐経路（５０）を介して電気的に接続される一対の分岐端（５２１，５２２）を備えることが好ましい。一対の分岐端（５２１，５２２）は、住戸親機（２）に電気的に接続されることが好ましい。第１出力端（１６１）は、一対の入力端（１１１，１１２）の一方である第１入力端（１１１）と終端回路（１２）の第１端との間の接続点に電気的に接続されることが好ましい。第２出力端（１６２）は、一対の入力端（１１１，１１２）の他方である第２入力端（１１２）と電気的に接続されることが好ましい。結線端（１７）は、終端回路（１２）の第２端と電気的に接続されることが好ましい。第１入力端（１１１）は、結線端（１７）と第２出力端（１６２）とが電気的に接続されると、終端回路（１２）、結線端（１７）、及び第２出力端（１６２）を介して、第２入力端（１１２）と電気的に接続されることが好ましい。
【００８８】
第４の態様によれば、終端装置（１Ａ）は、分岐器として使用することができるので、施工する機器の数が減少し、施工を簡易化することができる。
【００８９】
本発明に係る第５の態様の終端装置（１Ａ）は、第４の態様において、切替部（１８）をさらに備えることが好ましい。切替部（１８）は、第１状態と第２状態とを切り替えるように構成されていることが好ましい。第１状態は、結線端（１７）と第２出力端（１６２）とが電気的に接続された場合、第１入力端（１１１）が検査回路（１３，１３Ａ，１３Ｂ，１３Ｃ）、結線端（１７）、及び第２出力端（１６２）を介して第２入力端（１１２）と電気的に接続される状態であることが好ましい。第２状態は、第１入力端（１１１）が、検査回路（１３，１３Ａ，１３Ｂ，１３Ｃ）を介して、第２入力端（１１２）と電気的に接続される状態であることが好ましい。
【００９０】
第５の態様によれば、終端装置（１Ａ）は、分岐器として使用した場合、伝送路（Ｌ１）の終端に終端装置が接続されていなくても、信号線（Ｌ１１，Ｌ１２）が断線しているかどうか確認することができる。
【００９１】
本発明に係る第６の態様の終端装置（１，１Ａ）は、第１〜第５の態様の何れか１つの態様において、スイッチ回路（１４，１４Ａ）をさらに備えることが好ましい。スイッチ回路（１４，１４Ａ）は、一対の入力端（１１１，１１２）間において、検査回路（１３，１３Ａ，１３Ｂ，１３Ｃ）と電気的に直列に接続され、オン状態とオフ状態とが切り替わるように構成されていることが好ましい。
【００９２】
第６の態様によれば、スイッチ回路（１４，１４Ａ）をオン状態にした場合にのみ通知部（１５，１５Ａ，１５Ｂ，１５Ｃ）に供給電流が流れるので、終端装置（１，１Ａ）は、電力消費を低減することができる。
【００９３】
本発明に係る第７の態様の終端装置（１，１Ａ）では、第６の態様において、スイッチ回路（１４）は、ユーザによって、オン状態とオフ状態とに切り替えられるように構成されていることが好ましい。
【００９４】
第７の態様によれば、ユーザがスイッチ回路（１４）をオン状態にした場合にのみ通知部（１５，１５Ａ，１５Ｂ，１５Ｃ）に供給電流が流れるので、終端装置（１，１Ａ）は電力消費を低減することができる。
【００９５】
本発明に係る第８の態様の終端装置（１，１Ａ）では、第６の態様において、スイッチ回路（１４Ａ）は、閾値電圧よりも高い供給電圧が供給されると、オン状態になるように構成されていることが好ましい。
【００９６】
第８の態様によれば、制御装置（３）が閾値電圧よりも高い供給電圧を供給する場合にのみ、通知部（１５Ａ，１５Ｂ，１５Ｃ）に供給電流が流れるので、終端装置（１，１Ａ）は電力消費を低減することができる。
【００９７】
本発明に係る第９の態様のインターホンシステム（１０）は、終端装置（１，１Ａ）と、住戸親機（２）と、制御装置（３）と、制御装置（３）と電気的に接続され、制御装置（３）を介して住戸親機（２）と通信する共用装置（３０）とを備える。
【００９８】
第９の態様によれば、インターホンシステム（１０）は、伝送路（Ｌ１）に対する終端回路（１２）の接続が電気的に正常であることをユーザが施工時に確認することができる。
【００９９】
本発明に係る第１０の態様のインターホンシステム（１０）では、第９の態様において、制御装置（３）は、伝送路（Ｌ１）に印加する供給電圧の極性を切り替える極性切替部（３１）を有していることが好ましい。検査回路（１３，１３Ａ，１３Ｂ，１３Ｃ）は、一対の入力端（１１１，１１２）に印加される供給電圧が何れの極性であっても、供給電圧による供給電流が発生するように構成されていることが好ましい。
【０１００】
第１０の態様によれば、インターホンシステム（１０）は、信号線（Ｌ１１，Ｌ１２）が地絡しているかどうか施工時に確認することができる。
【符号の説明】
【０１０１】
１，１Ａ  終端装置
１０  インターホンシステム
１１１，１１２  一対の入力端（第１入力端、第２入力端）
１２  終端回路
１３，１３Ａ，１３Ｂ，１３Ｃ  検査回路
１４，１４Ａ  スイッチ回路
１５，１５Ａ，１５Ｂ，１５Ｃ  通知部
１６１  第１出力端
１６２  第２出力端
１７  結線端
１８  切替部
２  住戸親機
３  制御装置
３０  共用装置
３１  極性切替部
５  分岐装置
５０  分岐経路
Ｄ３  発光ダイオード（入力部）
ＴＲ１  フォトトランジスタ（出力部）
Ｌ１  伝送路
Ｌ１１，Ｌ１２  信号線
【図１】
2018032998.tif 000003
【図２】
2018032998.tif 000004
【図３】
2018032998.tif 000005
【図４】
2018032998.tif 000006
【図５】
2018032998.tif 000007
【図６】
2018032998.tif 000008
【図７】
2018032998.tif 000009